(57)【要約】【課題】キャビネット本体と前面パネルとの係合状態を安定化し、前面パネルが外れにくい筐体構造を提供する。【解決手段】キャビネット本体（バックキャビネット）には、複数の取付穴を形成するとともに、この取付穴の内壁に爪を突設し、前面パネルには、キャビネット本体と対向する面に複数のリブを一体に形成する。これらリブには前記爪を嵌合する穴を形成し、さらにこの穴の両側に突部を形成し、リブを取付穴に挿入する際に爪を支点にしてリブが撓むようにし、リブの穴に爪が嵌合した状態では、突部によって嵌合が外れるのを防ぐようにした筐体構造。【選択図】  図２
2005019805.tif 000002
【特許請求の範囲】
【請求項１】
本体部と、この本体部に取付けられる前面部とからなる筐体構造において、
前記本体部には、前記前面部と対向する面に複数の取付穴を形成するとともに、この取付穴の内壁に爪を突設して成り、
前記前面部には、前記本体部と対向する面に前記取付穴に挿入可能な複数のリブを一体に形成するとともに、このリブに前記爪を嵌合する穴を形成し、さらに前記リブを前記取付穴に挿入する際に前記爪を支点にして前記リブが撓むように前記リブの穴の両側に突部を形成して成り、
前記リブの穴に前記爪が嵌合した状態では、前記突部によって前記嵌合が外れるのを防ぐようにしたことを特徴とする筐体構造。
【請求項２】
前記本体部は、バックキャビネットであり、前記前面部は、バックキャビネットに取付けられる前面パネルであることを特徴とする請求項１記載の筐体構造。
【請求項３】
前記爪は、その先端部が前記挿入方向に傾斜していることを特徴とする請求項１記載の筐体構造。
【請求項４】
本体部と、この本体部に取付けられる前面部とからなる筐体構造において、
前記本体部には、前記前面部と対向する面に複数の取付穴を形成するとともに、この取付穴の内壁に爪を突設し、さらに前記爪を設けた内壁と対向する内壁の両側に位置して突部を形成して成り、
前記前面部には、前記本体部と対向する面に前記取付穴に挿入可能な複数のリブを一体に形成するとともに、このリブに前記爪を嵌合する穴を形成して成り、
前記リブを前記取付穴に挿入する際に前記爪を支点にして前記突部によって前記リブを撓ませ、前記リブの穴に前記爪が嵌合した状態では、前記突部によって前記嵌合が外れるのを防ぐようにしたことを特徴とする筐体構造。
【請求項５】
前記本体部は、バックキャビネットであり、前記前面部は、バックキャビネットに取付けられる前面パネルであることを特徴とする請求項４記記載の筐体構造。
【請求項６】
前記爪及びこの爪と対向する内壁に設けられた前記突部は、その先端部が前記挿入方向に傾斜していることを特徴とする請求項４記載の筐体構造。
【発明の詳細な説明】
【０００１】
【発明の属する技術分野】
本発明は、テレビジョン受像機等の筐体構造に関するもので、キャビネット本体（バックキャビネット）に前面パネルを取付けて一体化するようにしたものである。
【０００２】
【従来の技術】
従来、テレビジョン受像機等の電子機器においては、本体キャビネットに前面パネルを取付けて筐体を構成するようにしており、この筐体内に電子部品を収納するようにしている。
【０００３】
本体キャビネットと前面パネルとの組立構造としては、例えば特許文献１に記載のように、バックキャビネットとフロントキャビネットとから成り、フロントキャビネットにおける天面部より下方位置に、バックキャビネットに向けて延出するリブを設け、このリブの延出した部分に係合用穴をあけ、バックキャビネットの天面部内面に、前記係合用穴に嵌入可能な係合用爪を設け、前記リブの係合用穴に前記係合用爪を嵌入することでバックキャビネットとフロントキャビネットを一体化するようにしたものがある。また特許文献１においては、バックキャビネットの天面部における前記リブの上方位置に爪解除操作用穴を設け、この爪解除操作用穴に工具を挿入することにより、リブと係合用爪の嵌入状態を解除するようにした構造も記載されている。
【０００４】
【特許文献１】
特開平１０−３１３４３７号公報（図１、図２）
【０００５】
【発明が解決しようとする課題】
特許文献１に示す構造では、前記リブの係合用穴に前記係合用爪を嵌入することでバックキャビネットとフロントキャビネットを一体化するものであるため、係合用爪に寸法誤差が生じた場合、リブの係合用穴と係合用爪との係合が解かれ、フロントキャビネットが外れてしまうという不都合があった。
【０００６】
本発明は、キャビネット本体と前面パネルとの係合状態を安定化し、前面パネルが外れにくい筐体構造を提供することを目的とする。
【０００７】
【課題を解決するための手段】
請求項１記載の発明は、本体部と、この本体部に取付けられる前面部とからなる筐体構造であって、前記本体部には、前記前面部と対向する面に複数の取付穴を形成するとともに、この取付穴の内壁に爪を突設して成り、前記前面部には、前記本体部と対向する面に前記取付穴に挿入可能な複数のリブを一体に形成するとともに、このリブに前記爪を嵌合する穴を形成し、さらに前記リブを前記取付穴に挿入する際に前記爪を支点にして前記リブが撓むように前記リブの穴の両側に突部を形成して成り、前記リブの穴に前記爪が嵌合した状態では、前記突部によって前記嵌合が外れるのを防ぐようにしたことを特徴とする。
【０００８】
請求項４記載の発明は、本体部と、この本体部に取付けられる前面部とからなる筐体構造であって、前記本体部には、前記前面部と対向する面に複数の取付穴を形成するとともに、この取付穴の内壁に爪を突設し、さらに前記爪を設けた内壁と対向する内壁の両側に位置して突部を形成して成り、前記前面部には、前記本体部と対向する面に前記取付穴に挿入可能な複数のリブを一体に形成するとともに、このリブに前記爪を嵌合する穴を形成して成り、前記リブを前記取付穴に挿入する際に前記爪を支点にして前記突部によって前記リブを撓ませ、前記リブの穴に前記爪が嵌合した状態では、前記突部によって前記嵌合が外れるのを防ぐようにしたことを特徴とする。
【０００９】
上記構成によれば、リブが取付穴に挿入される際に、リブは爪を支点にして撓み、湾曲しながら取付穴に挿入され、爪がリブに形成した穴に嵌合した状態では突部によって、爪が穴から抜けるのを防ぐことができる。
【００１０】
【発明の実施の形態】
以下、本発明の一実施形態を図１〜図５を参照して説明する。図１は本発明の筐体構造をテレビジョン受像機に適用した場合の一実施形態を示し、キャビネット本体と前面パネルを一体化した状態を示している。また、図２は、キャビネット本体と前面パネルを分解した状態を示している。
【００１１】
図１において、１０は、テレビジョン受像機であり、キャビネット本体１１と前面パネル２１とからなっている。キャビネット本体１１は、バックキャビネットを構成し、この中に電子部品等が収納されている。また、前面パネル２１には、開口部２２が設けられ、ＣＲＴ（受像管）の表示面がこの開口部から露出するようになっている。
【００１２】
図２は、キャビネット本体１１と前面パネル２１を分解した状態を示しており、キャビネット本体１１の天面部の一部及び前面部を覆うように前面パネル２１が取付けられるようになっている。
【００１３】
キャビネット本体１１の天面部１２には段差１３が設けられ、この段差部分に複数の取付穴１４が形成され、前面部１５の下部にも同様の取付穴１４が形成されている。また、前面部１５の左右部分には、複数の取付穴１６が形成されている。取付穴１４と１６は、実質的に同じ形状を有しているが、取付穴１４は横方向に長く、取付穴１６は縦方向に長く形成されている。また、キャビネット本体１１の前面部には開口１７が形成され、ＣＲＴの管面が露出するようにしている。一方、前面パネル２１の上端縁及び下端部の内面には、前記取付穴１４に対向して複数のリブ２３が設けられ、前面パネル２１の左右端部の内面には前記取付穴１６に対向して複数のリブ２４が設けられている。
【００１４】
そして、前記前面パネル２１の各リブ２３，２４をそれぞれ対向する取付穴１４，１６に挿入することで、前面パネル２１をキャビネット本体１１に取付可能にしている。尚、図２では便宜状、取付穴１４，１６を単に角穴として図示し、リブ２３，２４を角柱として図示しているが、それら取付穴１４，１６及びリブ２３，２４の具体的な構造を図３、図４を参照して説明する。
【００１５】
図３は、キャビネット本体１１の前記段部１３に形成した取付穴１４と、前面パネル２１の上端縁に形成したリブ２３を示した斜視図であり、図２のＡ，Ａ’の円内の構成を拡大して示している。また、図４は、キャビネット本体１１の前面部の左端に形成した取付穴１６と、前面パネル２１の左端に形成したリブ２４を示す斜視図であり、図２のＢ，Ｂ’の円内の構成を拡大して示している。
【００１６】
図３において、キャビネット本体１１の取付穴１４の内壁底面には爪１４１が形成されており、この爪１４１は先端に行くに従って奥方向に傾斜している。一方、前面パネル２１のリブ２３には、前記爪１４１が嵌合する穴２３１が形成され、この穴２３１を挟むように軸方向（前記取付穴１４に向かう方向）に突堤２３２が形成されている。尚、リブ２３１は、前面パネル２１と同じ材料（プラスチック等）で一体成形され、ある程度の弾性を有している。
【００１７】
また、図４において、キャビネット本体１１の取付穴１６の内壁側面には爪１６１が形成されており、この爪１６１は先端に行くに従って奥方向に傾斜している。一方、前面パネル２１のリブ２４には、前記爪１６１が嵌合する穴２４１が形成され、この穴２４１を挟むように軸方向（前記取付穴１６に向かう方向）に突堤２４２が形成され、このリブ２４もある程度の弾性を有している。
【００１８】
次に、前記リブ２３が前記取付穴１４に嵌合される状態を図５を参照して説明する。図５（ａ）は、リブ２３が取付穴１４に向かって挿入され始めた状態を示している。この状態において、リブ２３の先端は爪１４１の斜面に乗り上げるため、爪１４１を支点にしてリブ２３が撓み、湾曲しながら徐々に取付穴１４の奥方向に挿入される。
【００１９】
リブ２３がさらに挿入されると、図５（ｂ）のように、爪１４１はリブ２３に形成した穴２３１に嵌合するため、リブ２３は湾曲状態から元の状態に戻る。こうしてリブ２３と爪１４１は係合し、前面パネル２１は、キャビネット本体１１に取付けられることになる。しかもこの状態では、リブ２３が爪１４１から外れようとしても、穴２３１の両側に形成した突堤２３２が取付穴１４の内壁にぶつかるため、爪１４１が穴２３１から抜けることはなく、しっかり嵌合することができる。尚、爪１４１の高さをｈ１、リブ２３の突堤の高さをｈ２、取付穴１４の大きさをｈ３としたとき、ｈ３＞ｈ２、ｈ３−ｈ２＝ｈ０、ｈ１＞ｈ０とする必要がある。
【００２０】
また図５では、取付穴１４とリブ２３の嵌合状態を示しているが、取付穴１６とリブ２４の嵌合状態も同様である。尚、嵌合状態を解除するには、キャビネット本体１１の裏カバー（図示せず）を外し、キャビネット本体の内側から工具を使ってリブ２３を爪１４１から外すように押し上げれば良い。
【００２１】
次に図６は、本発明の他の実施形態を示す斜視図である。図５では、リブ２３，２４に突堤２３２を形成した例を述べたが、図６ではキャビネット本体１１の取付穴１４の、前記爪１４１を設けた内壁と対抗する内壁に、所定間隔を置いて２つの突堤１４２を形成し、これら突堤１４２の間の谷部に爪１４１が対向するようにしたものである。尚、突堤１４２は、爪１４１と同様に先端に行くに従って奥方向に傾斜している。
【００２２】
次に、図６の実施形態について、前記リブ２３が前記取付穴１４に嵌合される状態を図７を参照して説明する。図７（ａ）は、リブ２３が取付穴１４に向かって挿入され始めた状態を示している。この状態において、リブ２３の中央部先端は爪１４１斜面に乗り上げ、かつ突堤１４３によって両端部が押し下げられるため、リブ２３は爪１４１を支点にして撓み湾曲しながら徐々に取付穴１４の奥方向に挿入される。
【００２３】
リブ２３がさらに挿入されると、図７（ｂ）のように、爪１４１はリブ２３に形成した穴２３１に嵌合するため、リブ２３は湾曲状態から元の状態に戻る。こうしてリブ２３と爪１４１は係合し、前面パネル２１は、キャビネット本体１１に取付けられることに成る。しかもこの状態では、リブ２３が爪１４１から外れようとしても、取付穴１４に形成した突堤１４２がリブ２３の両端にぶつかるため、爪１４１が穴２３１から抜けることはなく、しっかり嵌合することができる。
【００２４】
尚、爪１４１の高さをｈ１、突堤１４２の高さをｈ２、取付穴１４の大きさをｈ３、リブ２３の厚さをｈ４としたとき、ｈ３＞（ｈ２＋ｈ４）、ｈ３−（ｈ２＋ｈ４）＝ｈ０、ｈ１＞ｈ０とする必要がある。
【００２５】
このように、本発明によれば、前面パネル２１をキャビネット本体１１に対向させて、各取付穴１４，１６と各リブ２３，２４の位置を合わせてそのまま押し込むことにより、前面パネル２１はキャビネット本体１１に容易に取付けることができ、しかも外れることはない。尚、以上の説明ではテレビジョン受像機を例に説明したが、他の電子機器の筐体に適用可能である。
【００２６】
【発明の効果】
以上のように本発明によれば、簡単な構成で前面パネル２１とキャビネット本体１１とを一体化することができ、しかも外れにくい筐体構造を提供することができる。
【図面の簡単な説明】
【図１】本発明の筐体構造をテレビジョン受像機に適用した場合の全体的な外観を示す斜視図。
【図２】本発明の一実施形態における筐体構造を分解して示す分解斜視図。
【図３】本発明の一実施形態における筐体構造の要部を拡大して示す斜視図。
【図４】本発明の一実施形態における筐体構造の他の要部を拡大して示す斜視図。
【図５】本発明の一実施形態における筐体構造の取付け動作を説明する一部断面図。
【図６】本発明の他の実施形態における筐体構造の要部を拡大して示す斜視図。
【図７】本発明の他の実施形態における筐体構造の取付け動作を説明する一部断面図。
【符号の説明】
１１…キャビネット本体
１４、１６…取付穴
１４１…爪
１４２…突堤
２１…前面パネル
２２…開口
２３、２４…リブ
２３１、２４１…穴
２３２、２４２…突堤
【図１】
2005019805.tif 000003
【図２】
2005019805.tif 000004
【図３】
2005019805.tif 000005
【図４】
2005019805.tif 000006
【図５】
2005019805.tif 000007
【図６】
2005019805.tif 000008
【図７】
2005019805.tif 000009